(57)【要約】      （修正有）【課題】電気回路や機械的振動部材などの部品、一切の電源をも必要とせず、音源から出力された音響をそのまま大きく増幅する音響装置を提供する。【解決手段】音響箱連接体１２０は音響箱筐体と音響入口と音響出口を備えた音響箱小体１１０（１）〜１１０（９）を多段に配設し、音響箱小体の並びにおいて、当段の音響箱小体の音響入口は前段の音響箱小体の音響出口に接続され、当段の音響箱小体の音響出口は後段の音響箱小体の音響入口に接続されるように連接されている。音響箱連接体１２０の初段の音響箱小体１１０（１）の音響入口に外部音源開口１３０が設けられ、音響箱連接体１２０の最終段の音響箱小体１１０（９）の音響出口にスピーカー開口１４０を備え、音響箱小体の大きさおよび連結部分の断面積が徐々に大きくなる構造とする。【選択図】図２
2014074909.tif 000002
【特許請求の範囲】
【請求項１】
音響箱筐体とその壁面の一部に設けられた音響入口と音響出口を持つ音響箱小体を多段に配設し、当段の前記音響箱小体の音響入口は前段の前記音響箱小体の音響出口に接続され、当段の前記音響箱小体の音響出口は後段の前記音響箱小体の音響入口に接続されるように連接した音響箱連接体と、
前記音響箱連接体の初段の前記音響箱小体の音響入口に対して外部音源を設置する外部音源開口と、
前記音響箱連接体の最終段の前記音響箱小体の音響出口から音響を受けて外部に出力するスピーカー開口を備え、
前記音響箱連接体において前記音響箱小体の大きさが徐々に大きくなるように配置し、前記外部音源開口に設置された前記外部音源の音響を、前記音響箱連接体により伝導し、前記スピーカー開口から出力する音響装置。
【請求項２】
前記音響箱連接体の前記音響箱小体の連通において、前段の前記音響出口と後段の前記音響入口の連通部分の断面積が徐々に大きくなる構造とし、前記音響が伝搬するよう調整せしめた請求項１に記載の音響装置。
【請求項３】
前記音響箱連接体において、前記音響箱小体同士を直線方向ではなく、折り曲げた方向に接続することにより、前記音響箱連接体の体積を低減せしめつつ、前記音響箱連接体の初段から最終段まで連通する前記音響箱連接体内の距離を長く確保せしめることを特徴とする請求項１または２に記載の音響装置。
【請求項４】
前記音響箱連接体の内部において、前記音響が次段に伝搬しやすいように前記音響箱小体の音響箱筐体の壁面の位置と角度を調整した反射面とし、前記音響を反射させて前記スピーカー開口に導くことを特徴とする請求項３に記載の音響装置。
【請求項５】
前記音響箱連接体において、前記音響箱小体同士が一部の壁面と内部空間とを共有していることを特徴とする請求項１乃至４のいずれか１項に記載の音響装置。
【請求項６】
前記音響箱連接体の内部において、前記音響箱小体が３つ以上連接され、前記音響を反射させる前記反射面を複数個所設けることにより、各々の前記反射面で反射した反射音響を複数重畳させて前記スピーカー開口に導くことを特徴とする請求項１乃至５のいずれか１項に記載の音響装置。
【請求項７】
前記音響箱連接体の設置角度を調整する筐体角度調整体を備え、前記スピーカー開口から出力される音響の角度や方向を調整することができる請求項１乃至６のいずれか１項に記載の音響装置。
【請求項８】
前記筐体角度調整体が、前記音響箱筐体の底面部分に設けられたくさびの形状を備えた箱体であり、前記くさびの形状が持つ斜面により前記音響箱筐体全体の角度や方向を変えるものである請求項７に記載の音響装置。
【請求項９】
前記音響箱筐体の一部の壁面に孔を設けることにより、前記音響箱連接体を伝導してゆく音響の他に、前記音響箱筐体の前記孔より漏れる音響を外部に出す構造とした請求項１乃至８のいずれか１項に記載の音響装置。
【請求項１０】
前記音響箱連接体の前記音響箱小体同士を区切る仕切り板の一部において抜け孔を設け、前記前記音響箱小体同士の連通部分の前記音響入口および前記音響出口を伝播していく音響の他に、前記抜け孔から伝播してゆく音響を生じせしめる構造とした請求項１乃至９のいずれか１項に記載の音響装置。
【請求項１１】
前記音響箱連接体の前記音響箱筐体の壁面を木材で形成したものである請求項１乃至１０のいずれか１項に記載の音響装置。
【請求項１２】
前記音響箱連接体の前記音響箱筐体の壁面をガラスで形成したものである請求項１乃至１０のいずれか１項に記載の音響装置。
【請求項１３】
前記外部音源開口の形状を、スピーカー付き携帯通信端末が挿入できる形状とし、前記外部音源として前記携帯通信端末を挿入するとそのスピーカーが前記音響箱連接体の初段の前記音響箱小体の前記音響入口に対向する位置となる構造とした請求項１乃至１２のいずれか１項に記載の音響装置。
【請求項１４】
前記携帯通信端末内、または、前記携帯通信端末がアクセス可能なネットワーク上に、出力される音響の音響特性データを保持する音響特性データ保持部と、音響特性データ保持部にアクセスして音響特性データに合わせて携帯通信端末から出力される音響のサウンドのエフェクトを調節するデジタルイコライザーアプリケーションを備え、利用者が所望の音楽を携帯電話から出力させる前に、デジタルイコライザーアプリケーションを利用してサウンドのエフェクト調整済みの音響を準備し、そのサウンドエフェクト調整済みの音響を外部音源として利用して音響を出力させることができる請求項１３に記載の音響装置。
【発明の詳細な説明】
【技術分野】
【０００１】
本発明は、電気系回路や機械振動系を用いず、筐体を組み合わせた音響空間を介して音源から発せられた音を響かせる音響装置に関する。
【背景技術】
【０００２】
物理的に言えば、音は空気や水などの媒体中を伝播する波（疎密波）であり、聴者の聴覚を刺激して知覚される。
従来のスピーカー装置は、電気系回路を経て電気信号を振動板に伝え、電磁振動子を介して振動板に対して機械的振動を起こし、空気の疎密波として空気中を伝搬させる。このように、従来のスピーカー装置は、稼働するためには電気エネルギーを必要とし、電気信号処理と電磁振動子や振動板という電子部品が必要である。
一般に、スピーカー部分は、コーン形状等の振動板の背面側にコイルや永久磁石等からなる駆動部を取り付け、コイルに電気信号を供給して駆動部に往復運動を生じさせ、その往復運動によって振動板を振動させて音を発する仕組みになっている。
【０００３】
上記従来のスピーカーは、駆動部において発生させた往復運動によって振動板を振動させるものとなっているので、コイルや永久磁石によって発生させる往復運動の方向、振動板の振動方向及び音を発しようとする方向を合わせ、駆動部と振動板を近接させて運動エネルギーの確実な伝達を確保するように考えられている。このため、一般には、駆動部を振動板の背面に密着させて取り付けて一体構造としたものであった。
スピーカーに関する研究開発は従来から様々なことがなされているが、いずれもこの仕組みを採用することを基本としている。
【０００４】
このような従来型スピーカーの構成を変えて、いわゆるスピーカー振動板の周りの電子部品や機構部品の部品点数を減らし、紙のような非電気的部材により形成したスピーカー装置が知られている（特許文献１）。
【０００５】
図１９は、従来技術における特許文献１に開示されたスピーカー装置を示す図である。図１９に示すように、従来の特許文献１に開示されたスピーカー装置は、振動板と、発生させる音に応じた力を発生する駆動部と、振動板を内部応力のある状態に支持すると共に、駆動部で発生された力により生じる波動を振動板へ伝達する支持伝達手段とを有するものである。
【０００６】
【特許文献１】特開２０００−３５０２８５号公報
【発明の開示】
【発明が解決しようとする課題】
【０００７】
近年、携帯型音楽プレーヤー装置が普及しており、さらに、スマートフォンと呼ばれる電話機能付きの携帯型の通信端末も普及しており、いずれも音楽を楽しむことができる。これら従来の携帯型音楽プレーヤー装置であっても携帯型の通信端末であっても音楽を楽しむことができるが、概ねイヤホンを介して聴くスタイルとなっている。なお、これら従来の携帯型音楽プレーヤー装置や携帯型の通信端末も外部スピーカーがついており、外部に音楽を出力することもできる。
しかし、従来の携帯型音楽プレーヤー装置や携帯型の通信端末には外部スピーカーが付いているものの、携帯性を優先するために小さくなっており、音響の大音量の出力が難しいものである。
【０００８】
そこで、従来の携帯型音楽プレーヤー装置や携帯型の通信端末には音楽を音楽データとして電気的に出力するジャック端子が設けられており、このジャック端子からケーブルを介してスピーカー装置の信号入力端子に接続して音楽データの電気信号を入力し、いわゆる従来型のスピーカー装置により大きな音響として出力していた。従来のスピーカーは、上記したように電気信号を機械的な振動に変換し、それを更にスピーカーの機械的な運動に変換する構造となっているため、電源が必要であり、また、様々な部品が組み合わされて音響が発生される。
【０００９】
しかし、これは、従来の携帯型音楽プレーヤー装置や携帯型の通信端末には外部スピーカーから発せられた音響を音響的にそのまま増幅して大きい音響として出力するものではなく、従来の携帯型音楽プレーヤー装置や携帯型の通信端末から音響として一度も発せされることなく、単なる電気信号の音楽データとして出力されただけである。
また、このように、従来型のスピーカー装置を用いて音響を出力する場合、ジャック端子からケーブルを介してスピーカー装置の信号入力端子に対して接続する作業が必要となってしまう。
また、電源設備とともに、従来型のスピーカー装置を用意せねばならず、また、従来型のスピーカー装置は各部がケーブルなどで接続されており、簡単に移動することができず、固定的に設置する場所も必要である。
【００１０】
本発明は、上記した従来型スピーカーの構成に起因する様々な問題点に鑑みてなされたものであり、電気回路や機械的振動部材などの部品、さらには一切の電源をも必要とせず、従来の携帯型音楽プレーヤー装置や携帯型の通信端末の外部スピーカーから出力された音響を受け取り、内部でさらに共鳴や振動を起こさせ、楽器のように箱全体から豊かな音に音質を変化させるという音響効果を得ることができる音響装置を提供することを目的とする。
【課題を解決するための手段】
【００１１】
上記目的を達成するため、本発明の音響装置は、音響箱筐体とその壁面の一部に設けられた音響入口と音響出口を持つ音響箱小体を多段に配設し、当段の前記音響箱小体の音響入口は前段の前記音響箱小体の音響出口に接続され、当段の前記音響箱小体の音響出口は後段の前記音響箱小体の音響入口に接続されるように連接した音響箱連接体と、前記音響箱連接体の初段の前記音響箱小体の音響入口に対して外部音源を設置する外部音源開口と、前記音響箱連接体の最終段の前記音響箱小体の音響出口から音響を受けて外部に出力するスピーカー開口を備え、前記音響箱連接体において前記音響箱小体の大きさが徐々に大きくなるように配置し、前記外部音源開口に設置された前記外部音源の音響を、前記音響箱連接体により増幅し、前記スピーカー開口から出力する音響装置である。
本発明の音響装置は、外部音源から得た音響に対して、仕切り板や開口を備えた音響箱小体を連接させて、意図的にその仕切り板の形状、大きさ、開口などを工夫して音響箱連接体の内部で共鳴や振動を起こさせ、あたかも楽器のように箱全体から豊かな音に音質を変化させるという音響効果を得ることができる音響装置となる。
【００１２】
ここで、外部音源開口の形状を、スピーカー付き携帯通信端末が挿入できる形状とし、スピーカー付き携帯通信端末を挿入するとそのスピーカーが音響箱連接体の初段の音響箱小体の音響入口に対向する位置となる構造としおけば、スピーカー付き携帯通信端末の外部スピーカーで音響を流しつつ外部音源開口に差し込むだけで良い。
【００１３】
また、上記構成の音響箱連接体の音響箱小体の連通において、前段の前記音響出口と後段の前記音響入口の連結部分の断面積が徐々に大きくなる構造とし、前記音響が伝搬の過程において増幅されるよう調整せしめる。
また、上記構成の音響箱連接体において、前記音響箱小体同士を直線方向ではなく、折り曲げた方向に接続することにより、前記音響箱連接体の体積を低減せしめつつ、前記音響箱連接体の初段から最終段まで連通する前記音響箱連接体内の距離を長く確保せしめることが好ましい。
音響箱連接体内の距離を長く確保せしめることにより低音についても奥行きと伸びが生まれ、音質が改善され、素晴らしい音響効果を得ることができる。
なお、音響箱連接体内の距離が長くなりすぎると、音響が拡散しすぎて音響の減衰の効果が大きくなってしまうため、音源の音量に対応した音響箱連接体内の距離を設計する必要がある。
【００１４】
次に、上記の音響箱連接体の内部において、前記音響が次段に伝搬しやすいように前記音響箱小体の音響箱筐体の壁面の位置と角度を調整した反射面とし、前記音響を反射させて前記スピーカー開口に導くことが好ましい。
【００１５】
ここで、音響箱連接体の音響箱小体の連接において、音響箱小体同士が一部の壁面と内部空間とを共有しているものであっても良い。
また、上記の音響箱連接体の内部において、前記音響箱小体が３つ以上連接され、前記音響を反射させる前記反射面を複数個所設けることにより、各々の前記反射面で反射した反射音響を複数重畳させて前記スピーカー開口に導くことが好ましい。
このように、音響箱筐体の壁面の位置と角度が多様に折り返されることにより、低音から高音まで奥行きと伸びが生まれ、素晴らしい音響効果を得ることができる。
【００１６】
さらに、構成部材として、音響箱連接体の設置角度を調整する筐体角度調整体を備えることも可能である。筐体角度調整体は例えば傾斜角度を持ったくさび型の板材である。この筐体角度調整体を音響箱連接体の下方に挟み込むことにより音響箱連接体全体の傾斜角度を調整し、音響装置に対して携帯通信端末をやや寝かせた安定した状態にて音響装置に対して立て掛けることができる。この筐体角度調整体自体も筐体とすると、この内部空間の振動も音質を変化させる空間として利用することができる。
なお、置き方に関しては、上記の筐体角度調整体による据え置き角度の調整も可能であるし、筐体全体を机などの平面上に縦置きに据え置いたり、横置きに据え置いたり、天地を逆に据え置いたり、いわゆる仰向けに据え置いたり、その姿勢を自在にすることができることは言うまでもない。また、フックのようなもので壁に掛けることも可能である。
【００１７】
次に、さらに、音質に変化を持たせる工夫を説明する。
例えば、音響箱筐体の一部の壁面に孔を設ける工夫がある。音響箱筐体の前面は、内部の音響箱連接体の格段の音響箱小体の前面を塞ぐ壁面ともなっている部分があるが、例えば、この音響箱筐体の前面などに孔を設けることにより、音響箱連接体を伝導してゆく音響の他に、この孔より漏れる音響を外部に出す構造となる。このように外部に音響を出力する箇所が通常のスピーカー開口だけでなく、複数個所となり、利用者が感じる音質が変化することがある。
【００１８】
また、例えば、音響箱連接体の音響箱小体同士を区切る仕切り板の一部において抜け孔を設け、前記音響箱小体同士の連通部分の音響入口および音響出口を伝播していく音響の他に、抜け孔から伝播してゆく音響を生じせしめる構造とする構成も可能である。音響に重奏性が生じることとなり、利用者が感じる音質が変化することがある。
【００１９】
次に、本発明の音響装置の素材について述べる。音響装置の素材としては音響効果を高めるものであれば特に限定されない。
例えば、音響箱連接体の音響箱筐体の壁面を木材で形成したものや、音響箱連接体の音響箱筐体の壁面をガラスで形成したものなど多様なものがある。
さらに、金属板、陶器、磁器、和紙、不織布、アクリル板など、多様な素材を用いて製作することも可能である。それぞれの素材に応じて音響の響きなどにバリエーションがあり、それぞれに趣きがある。いずれにせよ、本発明の音響装置の基本的構造を備えたものとして製作すれば、豊かで素晴らしい音響効果が得られることが期待できる。
【００２０】
次に、入力される音楽に対する工夫について述べる。
本発明の音響装置は、入力される音響の状態にかかわらず、もとの音響よりも響きが大きく豊かな音響を奏でることができるが、音響連接体の内部空間の設計などにより本発明の音響装置の"音響特性"がある。この本発明の音響装置の"音響特性"を活かしやすいようにサウンドエフェクトを調整した音楽を外部音源とすれば、本発明の音響装置の音響効果が向上しやすい。そこで、例えば、サウンドエフェクトを調整するアプリケーションにより事前に外部音源の音響を処理しておくことが好ましい。
【００２１】
その構成として、前記携帯通信端末内において、または、前記携帯通信端末がアクセス可能なネットワーク上に、出力される音響の音響特性データを保持する音響特性データ保持部と、音響特性データ保持部にアクセスして音響特性データに合わせて携帯通信端末から出力される音響のサウンドのエフェクトを調節するデジタルイコライザーアプリケーションとを用意しておき、利用者が所望の音楽を携帯電話から出力させる前に、デジタルイコライザーアプリケーションを利用してサウンドのエフェクト調整済みの音響を準備し、そのサウンドエフェクト調整済みの音響を外部音源として利用する構成とすればよい。
【００２２】
以上に示した音響装置であれば、一切の電気的処理を介さず、初段の音響箱小体に入力された音響を音響的に響かせて大きくして音響箱連接体から出力するものであり、本発明の音響装置自体が一種の楽器のように音響装置内部の音響空間を鳴り響かせて空気振動を伝えるため、音色が豊かで伸びがあり、大きく響く素晴らしい音響的効果を得ることができる。
なお、事前に外部音源の音響について、本発明の音響装置が持つ音響特性データに合わせてサウンドエフェクトを調整しておけば、より一層、素晴らしい音響的効果を得ることができる。
【発明の効果】
【００２３】
本発明の音響装置は、外部音源から得た音響に対して、意図的に音響箱連接体の仕切り板の形状、大きさ、開口などを工夫して音響箱連接体の内部で共鳴や振動を起こさせ、あたかも楽器のように箱全体から豊かな音に音質を変化させるという音響効果を得ることができる。
本発明の音響装置によれば、一切の電気的処理を介さず、初段の音響箱小体に入力された音響を音響的に響かせて大きくして音響箱連接体から出力するものであり、本発明の音響装置自体が一種の楽器のように音響装置内部の音響空間を鳴り響かせて空気振動を伝えるため、音色が豊かで伸びがあり、大きく響く素晴らしい音響的効果を得ることができる。
【発明を実施するための最良の形態】
【００２４】
以下、図面を参照しつつ、本発明の音響装置の実施例を説明する。ただし、本発明の範囲は以下の実施例に示した具体的な用途、形状、個数などには限定されないことは言うまでもない。
【実施例１】
【００２５】
本実施例１に示す音響装置１００の構成例を説明する。ここでは、本実施例１に示す音響装置１００の構成例は、タイプ１の構成と呼ぶ。
実施例１として、構成例を挙げるが、それは一例であり、意図的に音響箱連接体の内部で共鳴や振動を起こさせ、あたかも楽器のように箱全体から豊かな音に音質を変化させるという音響効果を得る構成であれば、他の構成でも良い。
【００２６】
図１は、本実施例１に示す音響装置１００の外観を示す斜視図であり、図２は、音響装置１００の内部構造を側面から見た断面図となっている。また、図３は、音響箱小体の連接を分かりやすく示すために図２の一部を拡大した図となっている。
音響装置１００は、音響箱小体１１０、音響箱小体を多段に連接した音響箱連接体１２０、外部音源開口１３０、スピーカー開口１４０を備えた構成となっている。図１に示すように、タイプ１の音響装置１００は、全体が縦型の筐体であり、音響箱連接体１２０が縦型に設けられ、下方に外部音源開口１３０が位置しており、上方前面にスピーカー開口１４０が設けられており、さらに、音響箱小体１１０の前面を覆い、かつ、前面にスマートフォンなどを設置する外部音源ホルダーとなる前板体１５０を備えた構成となっている。また、図２に示すように、音響箱連接体１２０の内部には複数個の音響箱小体１１０が連接されている。
【００２７】
以下、本実施例１に示す音響装置１００の各部の構成について説明する。
まず、外部音源開口１３０は、音響箱連接体１２０の初段の音響箱小体１１０の音響入口１１２に対して外部音源２００を設置する開口である。外部音源２００が収まりやすい形状となっており、外部音源２００のスピーカー２１０から発せられる音を受け入れやすいような大きさ、方向に配置されていることが好ましい。
【００２８】
スピーカー開口１４０は、音響箱連接体１２０の最終段の音響箱小体１１０の音響出口１１３から音響を受けて外部に出力するための開口である。利用者に対して音響が行き渡りやすいように、前面に位置するように配置されていることが好ましい。
【００２９】
前板体１５０は、音響連接体１２０の各段の音響箱小体１１０の前面を塞いで各段の音響箱小体を箱体とするための板体である。前板体１５０の前面は、スマートフォンなどの外部スピーカーを備えた携帯通信端末を収める部分ともなり多様なデザインがあり得る。
【００３０】
次に、音響箱小体１１０は、音響を響かせる単位となる１つの小さな箱体であり、音響箱筐体１１１と、音響入口１１２、音響出口１１３を備えている。図２に示した例では、音響箱小体１１０（１）から音響箱小体１１０（９）の９個の音響箱小体１１０が連接された構成となっている。
図３は音響箱小体１１０の連接を分かりやすく示すために図２の一部を拡大した図となっており、図３に示すように、各々の音響箱小体１１０は、音響箱筐体１１１と音響入口１１２と音響出口１１３を備えている。なお、音響入口１１２と音響出口１１３の存在とその位置が分かりやすいように、太線でそのエリアを示している。実際にはこの太線の位置は空間で音響が伝搬する通り道となっている。
【００３１】
音響箱筐体１１１は、密閉された壁面から形成されており、木材やガラスなど音響が響きやすい素材で形成されている。音響箱筐体１１１の壁面の一部には音響入口１１２と音響出口１１３が設けられている。なお、後述するように、音響箱小体１１０の音響箱筐体１１１は、音響連接体１２０の内部の仕切り板１２１を兼ねるものとなっている。
なお、金属板、陶器、磁器、和紙、不織布、アクリル板など、多様な素材を用いて製作することも可能である。それぞれの素材に応じて音響の響きなどにバリエーションがあり、それぞれに趣きがある。いずれにせよ、本発明の音響装置の基本的構造を備えたものとして製作すれば、豊かで素晴らしい音響効果が得られることが期待できる。
【００３２】
音響入口１１２は、前段の音響箱小体１１０から音響が入ってくる開口であり、前段の音響箱小体１１０の音響出口１１３とつながっている。この音響入口１１２が設けられている位置は、音響箱小体１１０の音響の通り道である内部空間において外部音源開口１３０に近い側（スピーカー開口１４０から遠い側）に設けられている。
【００３３】
音響出口１１３は、後段の音響箱小体１１０へ音響を出す開口であり、後段の音響箱小体１１０の音響入口１１２とつながっている。この音響出口１１３が設けられている位置は、図１に示すように、音響箱小体１１０の音響の通り道である内部空間においてスピーカー開口１４０に近い方（外部音源開口１３０から遠い側）に設けられている。
音響箱連接体１２０は、このように、複数個の音響箱小体１１０を多段に連接したような連接体となっている。
【００３４】
音響箱連接体１２０の各々の音響箱小体１１０は独立した筐体をつなぎ合わせて接続しても良いし、図２に示すように、大きな空間の内部を壁面で仕切ることにより構成したものであっても良い。これら壁面で仕切られた各々の内部空間が音響箱小体１１０となる。
このように音響箱連接体１２０は内部空間が連通しており、音響が音響箱連接体１２０の内部空間を通過するとその響きが大きくなり、美しい音響として増幅される効果を発揮する。上記したように、音響箱連接体１２０の内部には複雑な壁面の仕切り１２１があり、音響箱小体１１０の連接の仕方において工夫がなされている。
【００３５】
図３は、音響箱連接体１２０の音響箱小体１１０の並びにおいてその大きさが徐々に大きくなるように配設している様子を分かりやすいように図２に示した構成の一部を拡大して示した図である。音響連接体１２０における音響箱小体１１０の連接の様子が分かりやすいように音響箱小体１１０ごとに枠で囲んで示した図である。
図３に示した４つの音響箱小体１１０（１），音響箱小体１１０（２），音響箱小体１１０（３）、音響箱小体１１０（４）のつながりにおいて、音響箱小体１１０（２）に注目すると、その音響入口１１２（２）は、前段の音響箱小体１１０（１）の音響出口１１３（１）とつながっており、音響箱小体１１０（２）の音響出口１１３（２）は、後段の音響箱小体１１０（３）の音響入口１１２（３）とつながっている。なお、音響箱小体１１０（２）において、音響入口１１２（２）の断面積に比べて、音響出口１１３（２）の断面積が大きくなっている。
【００３６】
これを一般化すると、前段の音響出口１１３（ｎ−１）と当段の音響入口１１２（ｎ）の接する面積Ｓｎから、当段の音響出口１１３（ｎ）と後段の音響入口１１２（ｎ＋１）の接する面積Ｓ（ｎ＋１）が徐々に大きくなるように配設されている。音響箱連接体１２０の音響箱小体１１０の並びにおいて音響箱小体１１０は直線状には並んでおらず折り曲げられるように配設されているものの、前段の音響箱小体１１０（ｎ−１）と当段の音響箱小体１１０（ｎ）と次段の音響箱小体１１０（ｎ＋１）の各々のつなぎ目の面積Ｓが順々に大きくなっている。
なお、音響箱連接体１２０の音響箱小体１１０の連接において、音響箱小体１１０同士が一部の壁面と内部空間とを共有しているものであっても良い。図２の例では、音響箱小体１１０（４）と音響箱小体１１０（５）が、見方によっては壁面と内部空間とを共有しているとも言える。音響箱小体１１０の形状、配置、連接の仕方などは様々なパターンがあり、前段の音響箱小体と次段の音響箱小体との空間の区切りが明確でない場合もあり得るからである。全体として、音響箱小体の連接において、各々のつなぎ目の面積Ｓが順々に大きくなっていく傾向が保たれれば、音響が豊かに拡がって音質が変わる効果は得られる。
【００３７】
ここで、音響が響いて音質が改善される原理について説明を試みる。
図４（ａ）は、本発明の音響モデルを簡単に示す図である。いわゆるメガホンの原理と同じであり、また、コーン型スピーカーの形状と共通している。図４（ｂ）は比較上、音源から音響が単に球状に四方八方へ拡散して行く状態を示している。
【００３８】
まず、図４（ｂ）に示すように、外部音源２００から放出された音響は媒体である空気中を３次元的に無指向に拡散しながら伝搬する。つまり、音響エネルギーは球面状に拡がりつつ伝搬する。球面の面積Ｓｒは距離をｒとすると［数１］で表される。
［数１］
Ｓｒ＝４πｒ２
つまり、４πｒ２に反比例して減少する。このように、一般な音響は図４（ｂ）のように拡散して行く。
一方、図４（ａ）は、メガホンやコーン型スピーカーの原理のように音響がある方向に向けてのみ音響が拡散してゆく場合であるが、外部音源２００から放出された音響は媒体である空気中を強制的に前方に向けてのみ所定比率にて３次元的に拡散しながら伝搬する。つまり、音響エネルギーは錐体の底面（この例では球面の一部を所定の開口角で切った曲面）に拡がりつつ伝搬する。面積Ｓｃは、距離をｒ、開口角をθとすると［数２］で表される。
［数２］
Ｓｒ≒πｒ２（１−ｃｏｓ（θ/２））
つまり、πｒ２（１−ｃｏｓ（θ/２））に反比例して減少する。このように、本発明の音響モデルの音響は図４（ａ）のように拡散して行く。
開口角θの大きさにもよるが、図４（ｂ）のように無指向性で放散してゆく音響が、図４（ａ）のように特定方向のみに集中して放出される。それゆえ、当該特定方向に利用者が立つと、図４（ｂ）の一般の音響に比べて大きく響く音響として聴くことが可能となる。
【００３９】
ここで、開口角θについて検討する。上記に見たように、開口角θを小さく絞った方が伝搬する音響が集中しやすいとも言えるが、逆に面積が徐々に狭まるような音響モデルとなると以下の問題が生じる。
第１には、音響の放射方向を絞りすぎると、その音響が伝搬する方向が狭くなり、部屋の中など利用者がある程度の活動範囲を持った状態では、かえって聴きづらい範囲が増えてしまう不具合が生じるおそれがある。
第２には、音響の放射方向を絞りすぎると、利用者に対して部屋の周囲から届く反響音が小さくなってそのバランスも悪くなってしまう不具合が生じるおそれがある。音響はスピーカー開口１４０から利用者に直接届く音響と、部屋の壁面や天井や床面から届く反響音があり、反響音が豊かに鳴り響く方が、音響が大きく美しく聴こえることが多い。スピーカー開口１４０から部屋の中などの広い空間に放射されると周辺方向にも徐々に音響が拡散してゆくが、もし、スピーカー開口１４０から出力される音響の放射方向を絞ると、スピーカー開口１４０から周辺方向に拡散する音響は少なくなり、部屋の壁面や天井や床面から届く反響音が小さく、利用者に直接届く音響のみは強いが反響音が得られず、利用者にとって音響は小さく聴こえることが多い。
そこで、本発明の音響装置１００は、音響箱小体１１０と音響箱小体１１０とのつなぎ目の面積が順々に大きくなるように配設しておき、外部音源開口１３０に設置された外部音源２００の音響を入力し、音響箱連接体１２０を通して増幅し、スピーカー開口１４０から大きく豊かな響きをもった音響として出力する構造となっている。
【００４０】
図５は、図１に示した本発明の音響装置１００の音響箱小体１１０の配列を直線方向に並べ変えて示した図である。図５に示すように、図１に示した本発明の音響装置１００の音響箱小体１１０の配列は、音響箱小体１１０と音響箱小体１１０とのつなぎ目の面積が順々に大きくなるように配設されており、図４に示すような関係にあることが分かる。
なお、音響箱連接体内の距離が長くなりすぎると、音響が拡散しすぎて音響の減衰の効果が大きくなってしまうため、音源の音量に対応した音響箱連接体内の距離を設計する必要がある。
【００４１】
以上に示したように、本発明の音響装置１００は、一切の電気的処理を介さず、初段の音響箱小体に入力された音響を音響的に響かせて大きくして音響箱連接体から出力するものであり、本発明の音響装置自体が一種の楽器のように音響装置内部の音響空間を鳴り響かせて空気振動を伝えるため、音色が豊かで伸びがあり、音質が改善され、響き渡る素晴らしい音響的効果を得ることができる。
【００４２】
次に、音響装置１００の他の構成例を示す。
図６は、タイプ１に属する音響装置１００の他の構成例を示す図である。
図１に示した音響装置１００の構成例は音響箱小体１１０が９個連接されたものであるが、図６に示した音響装置１００ａの構成例は音響箱小体１１０ａが音響箱小体１１０ａ（１）から音響箱小体１１０ａ（１０）まで１０個連接されたものとなっている。音響箱小体１１０ａの連接が増えた分、全体として少し大きくなり、音響箱小体１１０ａ同士のつなぎ目の面積も徐々に大きくなっており、図４に示したように音響を増幅するようメガホン効果が得られるようになっている。
【００４３】
図７は、音響連接体１２０ａにおける音響箱小体１１０ａ（１）から音響箱小体１１０ａ（１１）の連接の様子が分かりやすいように音響箱小体１１０ａごとに枠で囲んで示した図である。図７に示すように、音響箱小体１１０ａ（１）から音響箱小体１１０ａ（１１）まで徐々に大きくなるように配設されている様子が良くわかる。
このように、音響連接体１２０における音響箱小体１１０の連接の数や配置などは多様な構成が可能である。
このように、外部音源から得た音響に対して、意図的に音響箱連接体の仕切り板の形状、大きさ、開口などを工夫して音響箱連接体の内部で共鳴や振動を起こさせることにより、あたかも楽器のように箱全体から豊かな音に音質を変化させるという音響効果を得ることができる。
【実施例２】
【００４４】
本発明の音響装置１００の基本的構造は実施例１に示した通りであるが、本発明の音響装置１００の音響箱連接体１２０は、その内部構造として、音響箱小体１１０同士を直線方向ではなく折り曲げた方向に接続することにより、音響箱連接体１２０の体積を低減せしめるとともに、音響箱連接体１２０の初段から最終段まで連通する音響箱連接体１２０内の内部空間の距離を長く確保せしめるための内部構造には多様なパターンが有り得る。実施例２として、具体的な構成例をいくつか挙げて説明する。
便宜上、実施例１に示したものをタイプ１とし、本実施例２では、他のタイプとして、タイプ２、タイプ３のものを示す。
【００４５】
各々の構成例において、音響箱連接体１２０の内部における音響箱小体１１０の音響箱筐体１１１の壁面の一部は、音響箱連接体１２０内部の仕切り板１２１となっており、音響が次段に伝搬しやすいようにその位置と角度を調整したものとなっている。また、いずれも、音響箱小体１１０が３つ以上連接されており、仕切り板１２１が音響を反射させる反射面となっており、各々の反射面で反射した反射音響が複数重畳され、豊かで大きな音響として出力されるものとなっている。
【００４６】
図８は、タイプ２に属する音響装置１００ｂの構成例を示す図である。タイプ２は、音響連接体１２０ｂは縦型であるが、略四角錐台形となっており、外部音源開口１３０ｂが上面に設けられ、スピーカー開口１４０ｂが下方前面に設けられた構成となっている。
図８に示した音響装置１００ｂの構成例は音響箱小体１１０ｂが音響箱小体１１０ｂ（１）から音響箱小体１１０ｂ（５）まで５個連接されたものとなっている。音響箱小体１１０ｂ同士のつなぎ目の面積も徐々に大きくなっており、図４に示したように音響を増幅するようメガホン効果が得られるようになっている。
【００４７】
図９は、音響連接体１２０ｂにおける音響箱小体１１０ｂ（１）から音響箱小体１１０ｂ（５）の連接の様子が分かりやすいように音響箱小体１１０ｂごとに枠で囲んで示した図である。図９に示すように、音響箱小体１１０ｂ（１）から音響箱小体１１０ｂ（５）まで徐々に大きくなるように配設されている様子が良くわかる。
【００４８】
図１０は、タイプ３に属する音響装置１００ｃの構成例を示す図である。タイプ３の音響連接体１２０ｃは横型であり、いわゆる横置き構造となっている。外部音源開口１３０ｃが前面に設けられ、スピーカー開口１４０ｃは後方付近で前面側に向けて設けられた構成となっている。図１０に示した音響装置１００ｃの構成例は音響箱小体１１０ｃが音響箱小体１１０ｃ（１）から音響箱小体１１０ｃ（６）まで６個連接されたものとなっている。音響箱小体１１０ｃ同士のつなぎ目の面積も徐々に大きくなっており、図４に示したように音響を増幅するようメガホン効果が得られるようになっている。
【００４９】
図１１は、音響連接体１２０ｃにおける音響箱小体１１０ｃ（１）から音響箱小体１１０ｃ（６）の連接の様子が分かりやすいように音響箱小体１１０ｃごとに枠で囲んで示した図である。図１１に示すように、音響箱小体１１０ｃ（１）から音響箱小体１１０ｃ（６）まで徐々に大きくなるように配設されている様子が良くわかる。
【００５０】
上記に示したように、本発明の音響装置１００の音響箱連接体１２０は、その内部構造として、音響箱小体１１０同士の接続には多様なパターンが可能であることが分かる。上記のパターン以外にも他のパターンが可能であり、いずれのパターンにおいても、音響箱連接体１２０の初段から最終段まで連通する音響箱連接体１２０の音響箱小体１１０が徐々に大きくなり、音響箱小体１１０ａ同士のつなぎ目の面積も徐々に大きくなるものであれば良い。
このように、外部音源から得た音響に対して、意図的に音響箱連接体の仕切り板の形状、大きさ、開口などを工夫して音響箱連接体の内部で共鳴や振動を起こさせることにより、あたかも楽器のように箱全体から豊かな音に音質を変化させるという音響効果を得ることができる。
【実施例３】
【００５１】
実施例３は、音響装置１００ｄの構成として、音響箱連接体１２０ｄの設置角度を調整するための筐体角度調整体１６０ｄを備えた構成例を説明する。
音響装置１００ｄの全体的な形状としては縦置きタイプか横置きタイプがあるが、特に縦置きタイプにおいてやや斜めに傾かせて設置するものである。
【００５２】
筐体角度調整体１６０ｄを用いる理由は、スマートフォンなどの携帯通信端末を外部音源開口１３０ｄに立て掛けた際の姿勢制御である。本発明の音響装置１００ｄの使用方法として、音楽等を出力できるスマートフォンなどの携帯通信端末を外部音源開口１３０ｄに立て掛けて使用することが想定されるが、スマートフォンなどの携帯通信端末２００ではディスプレイ操作面が機器の前面に設けられていることが多く、音楽等の再生操作に関してもこのディスプレイ操作面を通じて行うことが多い。そのため、ディスプレイ操作面をタッチ可能なように立てつつ、携帯通信端末２００のスピーカー部分が外部音源開口１３０ｄ内に収まるように立設する必要がある。このように、外部音源開口１３０ｄ内に収まる携帯通信端末２００の部分がごく一部であるため、そのまま垂直に立設させると安定した状態にあるとは言えない場合がある。そこで、音響装置１００ｄ全体を斜めに傾かせて携帯通信端末２００をやや寝かせた状態で立設することにより安定した状態にて音響装置１００ｄに対して立て掛けるものである。
【００５３】
図１２は、くさびの形状の筐体角度調整体１６０ｄを適用した音響装置１００ｄの構成例を示す図である。音響装置１００ｄに対して、くさびの形状の筐体角度調整体１６０ｄを底面において、音響装置１００ｄ全体を斜めに傾かせて携帯通信端末２００を載せ置いている。この構成例では、筐体角度調整体１６０ｄは独立した板体となっており、音響装置１００ｄの下に挟み込む形で音響装置１００全体の角度を傾かせるものとなっている。
【００５４】
また、図１３は、筐体角度調整体１６０が音響連接体１２０ｄの筐体と一体化されている音響装置１００ｄの構成例を示す図である。この構成例では、筐体角度調整体１６０ｄは音響箱連接体１２０ｄの筐体と一体となっており、音響箱連接体１２０ｄの筐体自体が斜めに自立するようになっている。音響装置１００ｄを立てると自然に音響装置１００ｄ全体の角度が傾いた状態となるものである。
このように、筐体角度調整体１６０ｄを用いることにより、スマートフォンなどの携帯通信端末２００を外部音源開口１３０ｄに立て掛けた際の姿勢制御を行い、安定した状態で携帯通信端末２００を音響装置１００ｄに対して載せ置くことができる。
【００５５】
なお、この筐体角度調整体１６０ｄは外形を板体で組んで内部を空洞にすることもできる。
図１４は、図１３に示した筐体角度調整体１６０ｄが音響連接体１２０ｄの筐体と一体化されているタイプにおいて、内部を空洞にしたものを分かりやすいように断面で示した図である。いわゆる"スカート"のように、底面全体には板体が設けられておらず、側面の板体のみ、または、側面の板体と正面の板体で構成され、この側面の板体の底面や正面の板体の底面で全体を支持する構造となっている。図１４に図示したものは側面の板体のみで構成された構成例であり、１６０ｄにはハッチングが示されておらず、左側面の内側が見えている図なっている。
【００５６】
なお、正面の板体を設けた構成例においては、筐体角度調整体１６０ｄ内部の空洞からの音響が前面に出るように、適宜に孔を開けておく工夫も好ましい。
このように、筐体角度調整体１６０ｄの内部を空洞にすることにより、上部に構成されている音響装置１００ｄでの響きが板面などを介して筐体角度調整体１６０ｄの内部の空洞にも伝わり、その振動により新たな音響が発生して前面に向けて発せられるため、上部にある本来のスピーカー開口１４０ｄとは別に下部の筐体角度調整体１６０ｄからも音響が響き、重奏感が増し、音質が向上する。
【実施例４】
【００５７】
実施例４として、音響箱筐体の一部の壁面の一部に１５１ｅ孔を開け、音響箱連接体１１０ｅの一部の音響をその孔１５１ｅから前方に抜け出させる工夫をした構成例について述べる。
【００５８】
図１５は、音響箱筐体の一部の壁面である前板体１５０ｅの一部に１５１ｅ孔を設けた音響装置１００ｅの構成例を示す図である。なお、図１５では、前板体１５０ｅの形状が分かりやすいように、前板体１５０ｅのみにハッチングを施している。
図１５の例では、前板体１５０ｅの両端に複数個所の孔１５１ｅが設けられている。なお、図１５は斜視図となっているため、右側端の孔１５１ｅは見えていない。もっとも孔１５１ｅは前板体１５０ｅの片端のみとする構成も可能である。
【００５９】
前板体１５０ｅは、内部にある音響箱連接体１２０ｅの各段の音響箱小体１１０ｅの前面を塞ぐように壁面を形成しているが、このように前板体１５０ｅの一部に孔１５１ｅを設けておくと、一部の音響がその孔１５１ｅから前面から外部に発せられる。つまり、図１５の音響装置１００ｅの構成では、音響箱連接体１２０ｅにおいて、音響箱小体１１０ｅの中を通常に伝導してゆき本来のスピーカー開口１４０ｅから発せられる音響に加えて、前板体１５０ｅの孔１５１ｅから前方に発せられる音響が加わることとなり、複数個所から音響が響き、重奏感が増し、音質が向上する。
【実施例５】
【００６０】
実施例５として、音響装置１００ｆの音響箱筐体１１１ｆの一部にケーブル類が通過しやすい切り欠き１１４ｆを設け、スマートフォンなどの携帯通信端末２００の充電用などのケーブル２１０を接続しやすいように工夫をした構成例について述べる。
【００６１】
図１６は、音響箱筐体１１１ｆの一部にケーブル類が通過しやすい切り欠き１１４ｆを設けた音響装置１００ｆの構成例を示す図である。スマートフォンなどの携帯通信端末２００の端子が左側面にある場合の構成例となっている。
切り欠き１１４ｆは、スマートフォンなどの携帯通信端末２００を外部音源ホルダーとなっている部分に立て掛け、外部音源開口１３０ｆに携帯通信端末２００を差し入れた状態において、携帯通信端末２００の左側面の端子類に対向する位置に設けられている。携帯通信端末２００の充電用端子にケーブル２１０を装着したままそのケーブル２１０が切り欠き１１４ｆを介して音響箱筐体１１１ｆの外部に引き出せるようになっている。
【００６２】
このような切り欠き１１４ｆを設けることにより、充電用ケーブル２１０などを端子に差し込んで充電をしながら、本発明の音響装置１００ｆを用いつつスマートフォンなどの携帯通信端末２００を利用できるというメリットが得られる。一般に、スマートフォンなどの携帯通信端末２００は充電池の消耗の関係からしばしば充電を行う必要に迫られ、その充電時間も１時間程度は掛かることが多い。スマートフォンなどの携帯通信端末２００の性能によっては充電中も携帯通信端末２００の利用が可能であるが、充電ケーブル２１０は端子に差し込んだままとする必要がある。この充電ケーブル２１０が邪魔となり、携帯通信端末２００を音響装置１００ｆの外部音源ホルダーに差し込めないとすると、本発明の音響装置１００ｆを用いることができない。そこで、この切り欠き１１４ｆを設けておくことにより、充電用ケーブル２１０などを端子に差し込んで充電をしながら、本発明の音響装置１００ｆを用いつつスマートフォンなどの携帯通信端末２００を利用できるようになる。
【実施例６】
【００６３】
実施例６として、音響箱連接体１２０ｇを構成する音響箱小体１１０ｇの一部の仕切り板に抜き孔１２２ｇを設け、音響箱連接体１２０ｇの中を伝導する音響に変化を持たせ、音質を変える工夫をした構成例について述べる。
【００６４】
図１７は、音響箱連接体１２０ｇの音響箱小体１１０ｇを区切る仕切り板の一部に抜き孔１２２ｇを設けた音響装置１００ｇの構成例を示す図である。この構成例では、音響箱小体１１０ｇ（３）と音響箱小体１１０ｇ（４）の間の仕切り板の一部に抜け孔１２２ｇを設けた例となっている。
【００６５】
音響箱連接体１２０ｇは、実施例１で説明したように、隣接する音響箱小体１１０ｇを音響が伝導しながらその音質などが変化して行くが、音響箱連接体１２０ｇの音響箱小体１１０ｇ同士は、壁面である仕切り板で区切られるともに音響入口と音響出口が接続されている。ここで、仕切り板に抜け孔１２２ｇを設けておけば、音響入口と音響出口の接続を介して内部空間を伝播してゆく音響の他に、抜け孔１２２ｇから伝播してゆく音響が伝わるため、やはり、音響の伝導に変化が生じることとなる。この音響の伝導の仕方の変化は音質の変化につながる。
【００６６】
どのような音質の変化が得られるかは、音響箱連接体１２０ｇ全体の形状や大きさ、各段の音響箱小体１１０ｇの形状や大きさ、隣接する音響箱小体１１０ｇとの接し方、仕切り板の材質など多様な要素が絡み合うため、一概には言えないが、試行錯誤的に、どの音響箱小体１１０ｇと音響箱小体１１０ｇとの仕切り板のどの位置にどの大きさの抜け孔１２２ｇを設けるかを試して、音質の変化を調整する。音質をどのように変化させるかは利用者の趣向に依存する部分も大きく、この調整も一種のノウハウとなる。
しかし、隣接する音響箱小体１１０ｇ同士が直接に接する面以外にも抜け孔１２１を設けることにより音響の伝導の仕方が変化して音質が変わり得ることは理解されよう。
【実施例７】
【００６７】
実施例７として、本発明の音響装置の音響効果を高めるために入力される音楽に対するサウンドエフェクト処理を行う構成例について述べる。
実施例１から６に示したように、本発明の音響装置１００は、入力される音響の状態にかかわらず、もとの音響よりも響きが大きく豊かな音響を奏でることができるが、音響連接体１２０の内部空間の設計などにより本発明の音響装置の"音響特性"がある。
この本発明の音響装置の"音響特性"を活かしやすいようにサウンドエフェクトを調整した音楽を外部音源とすれば、本発明の音響装置の音響効果が向上しやすい。そこで、例えば、サウンドエフェクトを調整するアプリケーションにより事前に外部音源の音響を処理しておくことが好ましい。
【００６８】
図１８は、実施例７にかかるサウンドイコライザーアプリケーションを利用したサウンドエフェクト処理を伴う構成例を示す図である。
携帯通信端末２００の内部、または、携帯通信端末２００によりアクセスできるネットワーク３００上に、音響特性データ保持部３１０と、デジタルイコライザーアプリケーションを搭載したサービスシステム３２０が存在している。図１７に示した構成例では、ネットワーク３００上に存在している構成例となっている。
【００６９】
音響特性データ保持部３１０は、出力される音響の音響特性データを保持する部分である。
デジタルイコライザーアプリケーション３２０は、音響特性データ保持部３１０にアクセスして保存されている音響特性データに合わせて携帯通信端末２００から出力される音響のサウンドのエフェクトを調節するデジタルイコライザー機能を備えたアプリケーションである。
【００７０】
利用者は、あらかじめ携帯電話２００を操作し、音楽デジタルデータを、デジタルイコライザーアプリケーションを介してサウンドエフェクトを調整させ、サウンドエフェクト調整済みの音響を準備する。そのサウンドエフェクト調整済みの音響を外部音源として外部音源開口１３０において出力する。
サウンドエフェクト調整済み音響は、音響連接体１２０の内部空間を通過する際に、音響特性に沿った音響変化が加えられるが、その音響変化が最適となるように事前にサウンドエフェクトが調整されているため、スピーカー開口１４０から出力される音響は、一段と素晴らしい音響効果を奏することが可能となる。
【００７１】
以上、本発明の好ましい実施形態を図示して説明してきたが、このように、外部音源から得た音響に対して、意図的に音響箱連接体の仕切り板の形状、大きさ、開口などを工夫して音響箱連接体の内部で共鳴や振動を起こさせることにより、あたかも楽器のように箱全体から豊かな音に音質を変化させるという音響効果を得ることができる。
本発明の技術的範囲を逸脱することなく種々の変更が可能であることは理解されるであろう。従って本発明の技術的範囲は添付された特許請求の範囲の記載によってのみ限定されるものである。
【図面の簡単な説明】
【００７２】
【図１】本実施例１に示す音響装置１００の外観を示す斜視図である
【図２】音響装置１００の内部構造を側面から見た断面図である。
【図３】音響箱小体の連接を分かりやすく示すためにその一部の構成を拡大した図である。
【図４】本発明の音響モデルを簡単に示す図である。
【図５】図１に示した本発明の音響装置１００の音響箱小体１１０の配列を直線方向に並べ変えて示した図である。
【図６】タイプ１に属する音響装置１００ａの他の構成例を示す図である。
【図７】音響連接体１２０ａにおける音響箱小体１１０ａの連接の様子が分かりやすいように音響箱小体１１０ａごとに枠で囲んで示した図である。
【図８】タイプ２に属する音響装置１００ｂの構成例を示す図である。
【図９】音響装置１００ｂの内部構造を側面から見た断面図および音響箱小体１１０ｂの連接の様子が分かりやすいように枠を補助的に示した図である。
【図１０】タイプ３に属する音響装置１００ｃの構成例を示す図である。
【図１１】音響装置１００ｃの内部構造を側面から見た断面図および音響箱小体１１０ｃの連接の様子が分かりやすいように枠を補助的に示した図である。
【図１２】筐体角度調整体１６０を適用した音響装置１００ｄの構成例を示す図である。
【図１３】筐体角度調整体１６０が音響連接体１２０ｄの筐体と一体化されている音響装置１００ｄの構成例を示す図である。
【図１４】筐体角度調整体１６０ｄが音響連接体１２０ｄの筐体と一体化されているタイプにおいて内部を空洞にしたものを分かりやすいように断面で示した図である。
【図１５】前板体１５０ｅの一部に１５１ｅ孔を設けた音響装置１００ｅの構成例を示す図である。
【図１６】図１６は、音響箱筐体１１１ｆの一部にケーブル類が通過しやすい切り欠き１１４ｆを設けた音響装置１００ｆの構成例を示す図である。
【図１７】音響箱連接体１２０ｇを構成する音響箱小体１１０ｇの一部の仕切り板に抜き孔１２２ｇを設けた音響装置１００ｇの構成例を示す図である。
【図１８】実施例７にかかるサウンドイコライザーアプリケーションを利用したサウンドエフェクト処理を伴う構成例を示す図である。
【図１９】従来技術における特許文献１に開示されたスピーカー装置の構成を示す図である。
【符号の説明】
【００７３】
１００  音響装置
１１０  音響箱小体
１１１  音響箱筐体
１１２  音響入口
１１３  音響出口
１１４  切り欠き
１１５  孔
１２０  音響箱連接体
１２１  仕切り板
１２２  抜け孔
１３０  外部音源開口
１４０  スピーカー開口
１５０  前板体
１６０  筐体角度調整体
２００  携帯端末
３００  ネットワーク
３１０  音響特性データ保持部
３２０  デジタルイコライザーアプリケーション
【図１】
2014074909.tif 000003
【図２】
2014074909.tif 000004
【図３】
2014074909.tif 000005
【図４】
2014074909.tif 000006
【図５】
2014074909.tif 000007
【図６】
2014074909.tif 000008
【図７】
2014074909.tif 000009
【図８】
2014074909.tif 000010
【図９】
2014074909.tif 000011
【図１０】
2014074909.tif 000012
【図１１】
2014074909.tif 000013
【図１２】
2014074909.tif 000014
【図１３】
2014074909.tif 000015
【図１４】
2014074909.tif 000016
【図１５】
2014074909.tif 000017
【図１６】
2014074909.tif 000018
【図１７】
2014074909.tif 000019
【図１８】
2014074909.tif 000020
【図１９】
2014074909.tif 000021